(57)【要約】【課題】レンズまたはカメラを容易に取り付けることを可能にした撮影システムを提供すること。【解決手段】レンズ装置とレンズ取り付け装置を備え、前記レンズ装置と前記レンズ取り付け装置の一方に位置決めピンを有し、他方に前記位置決めピンをレンズ幅方向の位置を規制する規制手段を有する撮影システムにおいて、前記規制手段に嵌合部と、ガイド部とを有し、前記ガイド部は前記嵌合部と連通し、しかもレンズ幅方向のサイズは前記嵌合部より大きいことを特徴とする。【選択図】図１
2020030263.tif 000002
【特許請求の範囲】
【請求項１】
レンズ装置とレンズ取り付け装置を備え、前記レンズ装置と前記レンズ取り付け装置の一方に位置決めピンを有し、他方に前記位置決めピンをレンズ幅方向の位置を規制する規制手段を有する撮影システムにおいて、
前記規制手段は嵌合部と、
ガイド部と、
を有し、前記ガイド部は前記嵌合部と連通し、しかもレンズ幅方向のサイズは前記嵌合部より大きいことを特徴とする撮影システム。
【請求項２】
前記ガイド部は位置決めピンの両側に跨り、しかも嵌合部との隣接部に傾斜面で接続することを特徴とする請求項１に記載の撮影システム。
【請求項３】
前記ガイド部は片側に位置することを特徴とする請求項１に記載の撮影システム。
【請求項４】
前記ガイド部の片側を覆うカバー部材を有し、前記カバー部材をスライドさせることにより、ガイド部の位置を変更することができることを特徴とする請求項２に記載の撮影システム。
【請求項５】
位置決めピンは回転体を有することを特徴とする請求項１乃至請求項４の何れか一項に記載の撮影システム。
【発明の詳細な説明】
【技術分野】
【０００１】
本発明は、位置決めピンと、位置決めピンの規制手段を備える取り付け装置を有する撮影システムに関する。
【背景技術】
【０００２】
箱型放送用レンズの取り付けには、通常引っ掛け式機構が利用されている。引っ掛け式機構において、レンズ側に位置決めピン、レンズ取り付け装置側に上下方向に延伸する長穴をそれぞれ備えている。位置決めピンを長穴に差し込むことにより、レンズの幅方向の位置を規制することになっている。
【０００３】
通常レンズの取り付け作業は一人で行われ、三脚に搭載されたレンズ取り付け装置の引っ掛け位置が高い時、位置決めピンと長穴が同時に見えないことが多い。その場合、位置決めピンを長穴に差し込む（以下ピン入れ）作業は位置決めピンをレンズ取り付け装置に突き当てながら、レンズを幅方向に移動させ、長穴を探ることを行わなければならない。このようなピン入れ作業は非常に時間がかかる問題があった。
【０００４】
この問題を解決するために、様々な提案が行われた。特許文献１では、レンズ後方のマウント部に切欠部を形成し、ピンと長穴（溝）を肉眼視することで、ピン入れを容易にしようとした。さらに切欠部に透明材料からなる窓を設け、その上にマーキングをすることにより、ピン入れの作業性をさらに向上させようとした。特許文献２は、レンズ幅方向の側面と係合するガイド部材をレンズ取り付け装置に設け、レンズをガイド部材の間に入れてから、ガイド部材に沿って移動させることにより、ピン入れを容易にしようとする方法を開示している。
【先行技術文献】
【特許文献】
【０００５】
【特許文献１】特開平７−２２５４２４号公報
【特許文献２】特開２０００−７５３８７号公報
【発明の概要】
【発明が解決しようとする課題】
【０００６】
しかしながら、上記の特許文献に開示された従来技術では、レンズ取り付けの作業性の改善は必ずしも十分とは言えない。まず、特許文献１の方法において、高い三脚などを使用する際、作業者がレンズの真上またはその近傍から直接目でピンを見ることが不可能な場合がある。また、特許文献２の方法は、レンズをガイド部材の間に入れることが難しいという問題がある。
【０００７】
そこで、本発明の目的は、上述の問題点を解消し、レンズの取り付けを容易にする撮影システムを提供することにある。
【課題を解決するための手段】
【０００８】
上記の目的を達成するために、本発明に係る撮影システムは、レンズ装置とレンズ取り付け装置を備え、前記レンズ装置と前記レンズ取り付け装置の一方に位置決めピンを有し、他方に前記位置決めピンをレンズ幅方向の位置を規制する規制手段を有する撮影システムにおいて、前記規制手段は嵌合部と、ガイド部とを有し、前記ガイド部は前記嵌合部と連通し、しかもレンズ幅方向のサイズは前記嵌合部より大きいことを特徴とする。
【発明の効果】
【０００９】
本発明によれば、レンズのレンズ取り付け装置への取り付け時間を短縮し、取り付け作業を容易にする撮影システムの提供を実現できる。
【図面の簡単な説明】
【００１０】
【図１】本発明に係る第１の実施例の実施形態の概略を示す斜視図である。
【図２】本発明に係る第１の実施例を適用した撮影システム全体の概略を示す斜視図である。
【図３】本発明に係る第１の実施例を適用したレンズ取り付け装置を示す概略側面図である。
【図４】本発明に係る第２の実施例を示す概略図である。
【図５】本発明に係る第２の実施例の実施形態を示す概略図である。
【図６】本発明に係る第３の実施例のサポータ本体の実施形態を示す概略図である。
【図７】本発明に係る第３の実施例の実施形態を示す概略図である。
【図８】本発明に係る第４の実施例の位置決めピンの構造を示す概略断面図である。
【発明を実施するための形態】
【００１１】
以下に、本発明の好ましい実施の形態を添付の図面に基づいて詳細に説明する。
【実施例１】
【００１２】
以下、図１〜図３を参照して、本発明の第１の実施例による撮影システムについて説明する。図１は本発明に係る第１の実施例の実施形態を示す概略斜視図、図２は本発明に係る第１の実施例を適用した撮影システムの全体を示す概略斜視図、図３は本発明に係る第１の実施例を適用したレンズ取り付け装置の側面図である。
【００１３】
図２に示すように、撮影システムにはレンズ１と、カメラ３と、レンズ取り付け装置として両者を支持するサポータ２と、三つのユニットを備える。レンズ１は引っ掛け方式の機構を通じてサポータ２に取り付けられる。カメラ３はサポータ２の上に固定され、しかもバヨネット式マウントを介してレンズ１と光軸と一致するように連結されている。
【００１４】
レンズ１は、図１に示すように、レンズ本体１０、下向き楔ブロック１１、位置決めピン１２、マウント１３、スプリングピン１４を有する。下向き楔ブロック１１は、ピン１６ａ、ピン１６ｂ、ボルト１５ａ、ボルト１５ｂを通じてレンズ本体１０に固定される。下向き楔ブロック１１の下端に楔部１１１が設けられている。楔部１１１の内側の傾斜面１１２を有し、その傾斜角度は略４５°である。
【００１５】
位置決めピン１２は先端が球面状に形成され、下向き楔ブロック１１の表面より突出している。球面状にする目的はサポータ２のガイド部２０１ａに容易に差し込み、しかも接触相手に傷を付けないようにするためである。レンズ１の右端面の中心部にはマウント１３が設けられている。マウント１３はバヨネット式マウントで、カメラ３の光軸合わせ、また光軸方向の位置決めに利用される。
【００１６】
レンズ１の右端面の下部にスプリングピン１４が設けられている。スプリングピン１４は先端から球面状部と、テーパー面部と、円筒面部とが形成されている。球面状部とテーパー面部はスプリングピン１４の差し入れを容易にするためである。またスプリングピン１４にはＬ字状貫通穴１４１が設けられている。Ｌ字状貫通穴１４１は上向きの開口部を有する。Ｌ字状貫通穴１４１によりスプリングピン１４は無理なく穴２０５に挿入し、しかも穴２０５との間に所望の圧力を生じさせることができる。
【００１７】
一方、サポータ２には、サポート本体２０と上向き楔ブロック２１とを備える。上向き楔ブロック２１はピン２３ａ、ピン２３ｂ、ボルト２２ａ、ボルト２２ｂを通じてサポート本体２０に固定される。楔部２１１は内側に傾斜面２１２を有し、その傾斜角度は傾斜面１１２の傾斜角度と同じ、略４５°である。レンズ１が装着された状態では、傾斜面２１２は傾斜面１１２と当接し、レンズ１の上下の位置を規制する。上向き楔ブロック２１の中央部には上向きのＵ字溝２１３が形成されている。Ｕ字溝２１３は位置決めピン１２と嵌合し、レンズ１の幅方向の位置を規制しているが、レンズ１が装着された状態では位置決めピン１２の下部表面と接触しないように形成されている。
【００１８】
図３に示すように、サポート本体２０には三つの穴が設けられている。一番上のＴ字穴にはガイド部２０１ａと、嵌合部２０２と、両者を連結する傾斜面２０３とを有する。ガイド部２０１ａは嵌合部２０２とＵ字溝２１３より幅が大きく、しかも両者の両側に跨る。ガイド部２０１ａの幅が大きいため、ピン入れが容易に行われる。サポート本体２０の中心部の貫通穴２０４はマウント１３が通過し、格納するための空間である。サポート本体２０の下部の穴２０５はスプリングピン１４に圧力を与え、レンズの振動や脱落を防止するために利用される。
【００１９】
次に、レンズの取り付け操作について説明する。レンズ１を取り付ける前に、予め三脚などを用意し、その上にサポータ２を固定しておく。レンズ１を取り付ける際、まずレンズ１を位置決めピン１２がガイド部２０１ａの上限幅以内の高さにレンズ１を持ち上げ、その後位置決めピン１２がサポータ２のガイド部２０１ａの幅以内に収まるように幅方向にレンズ１を移動する。次にレンズ１の被写体側を上げてレンズを傾ける。続いてサポータ２に接近し、位置決めピン１２をサポータ２のガイド部２０１ａに差し込む。その後レンズ１を傾斜したまま下げる。位置決めピン１２がＵ字溝の真上にあった場合は言うまでもなく、傾斜面２０３の上にあった場合でも、傾斜面２０３に沿って下がりながらＵ字溝２１３に向かって変位する。こうして最終的に位置決めピン１２はＵ字溝２１３に嵌め込むことができる。
【００２０】
位置決めピン１２はＵ字溝２１３に入った後、さらに下向き楔ブロック１１の傾斜面１１２が上向き楔ブロック２１の傾斜面２１２に当接するようにレンズ１を下げつづける。最後にレンズ１の先端をゆっくり下げれば、スプリングピン１４は自然に穴２０５に嵌め込み、レンズ１は装着位置と同じ水平状態に到達する。装着位置ではスプリングピン１４は穴２０５内表面から圧力を受け、この圧力によりレンズが固定される。
【実施例２】
【００２１】
以下、図４〜図５を参照して、本発明の第２の実施例によるレンズ取り付け装置について説明する。
【００２２】
第２の実施例は第１の実施例に比べ、主にレンズ１の位置決めピン１２の位置を規制する規制手段のガイド部が異なる。図４（Ａ）に示すように、ガイド部２０１ｂの左側面が嵌合部２０２の左側面と略一致し、嵌合部２０２の片側のみに分布する。
【００２３】
レンズ１の取り付け操作も第１の実施例と類似する。その相異点は図５を参照して説明する。位置決めピン１２をガイド部２０１ｂに差し込んでから、位置決めピン１２がガイド部２０１ｂの左側面に当たるようにレンズ１を左へ移動させる。その後位置決めピン１２がガイド部２０１ｂの左側面に沿ってレンズ１を下げ、位置決めピン１２をＵ字溝２１３に嵌め込む。
【００２４】
第２の実施例は第１の実施例に比べ、位置決めピン１２にかかる力が小さいため、位置決めピン１２の摩耗が小さくなる。従って位置決めピンの直径減少によるレンズ位置の変動が抑えられ、カメラとの連結の操作性が維持されやすくなる。
【００２５】
上記の説明では、ガイド部２０１ｂはＵ字溝２１３の右側に位置するが、図４（Ｂ）に示すようにＵ字溝２１３の左側に設けることも可能である。左側と右側のどちらにするかは操作者の好みに応じて選択すれば良い。
【実施例３】
【００２６】
以下、図６〜図７を参照して、本発明の第３の実施例によるレンズ取り付け装置について説明する。
【００２７】
図６に示すように、ガイド部２０１ｄは嵌合部２０２の両側に跨る。また図７（Ａ）示すように、ガイド部２０１ｃは手前に設けられたカバー板２６によって右の半分近くが覆われている。図中のカバー板２６の左側面の位置は上向き楔ブロック２１（不図示）のＵ字溝２１３の右側面と一致する。
【００２８】
カバー板２６はサポータ２のざぐり面２０４とガイド部材２５の間に挟まれ、左右にスライドできるようになっている。カバー板２６の厚さはカバー板２６がスムーズに動き、しかも過度に揺れが生じないように設定されている。ガイド部材２５はネジ２４ａ〜ｆによってサポータ２に固定されている。
【００２９】
カバー板２６を左へスライドさせれば、図７（Ｂ）に示すように、ガイド部２０１ｄの左の半分近くが覆われ、ガイド部２０１ｄの位置を簡単に切り替えることができる。この時カバー板２６の右側面は上向き楔ブロック２１（不図示）のＵ字溝２１３の左側面と一致する。
【００３０】
カバー板２６は左右の各々の定位置から不意にずれないように、カバー板２６に凹みを形成し、サポータ２側にストロークプランジャを設け、定位置でストロークプランジャが凹みに嵌め込むようにしても良い。
【００３１】
上記説明したように、カバー板２６を設けることにより、ガイド部の位置を簡単に変更でき、異なる好みを持つ撮影者に即応できるようになる。
【実施例４】
【００３２】
以下、図８を参照して、本発明の第４の実施例によるレンズ取り付け装置について説明する。
【００３３】
図８は第４の実施例の位置決めピンの実施形態の断面概略図である。図８に示すように、位置決めピン１２ａには位置決めピン軸１２１と回転体１２２と止めねじ１２３を有する。位置決めピン軸１２１の外周面１２１２は回転体１２２の内穴面１２２２と嵌合し、両者の間にスムーズに摺動することができる。止めねじ１２３は回転体１２２のネジ穴１２２３と螺合する一方、先端の円柱部１２３１は位置決めピン軸１２１の溝１２１３に嵌め込み、溝１２１３に沿ってスムーズに移動できる。位置決めピン１２ａはネジ部１２１１を通じてレンズに固定される。
【００３４】
位置決めピン１２ａを利用すれば、回転体１２２の表面１２２１とサポートのガイド部表面の間に発生する摺動摩擦は転がり摩擦に変化し、位置決めピン１２ａの表面の摩耗が低減できる。
【００３５】
上記のような位置決めピン１２ａは、第１〜３の実施形態のいずれかに適用できるが、とりわけ位置決めピンにかかる力の大きい第１実施形態にとって効果が大きい。
【００３６】
以上、本発明の好ましい実施形態について説明したが、本発明はこれらの実施形態に限定されず、その要旨の範囲内で種々の変形及び変更が可能である。
【符号の説明】
【００３７】
１  レンズ、１０  レンズ本体、１１  下向き楔ブロック、
１２  位置決めピン、１２ａ  位置決めピン、１２２  回転体、
１３  マウント、２  サポータ、２０  サポート本体、
２０１ａ  ガイド部、２０１ｂ  ガイド部、２０１ｃ  ガイド部、
２０２  嵌合部、２０３  傾斜面、２１  上向き楔ブロック、
２１３  Ｕ字溝、２６  カバー板
【図１】
2020030263.tif 000003
【図２】
2020030263.tif 000004
【図３】
2020030263.tif 000005
【図４】
2020030263.tif 000006
【図５】
2020030263.tif 000007
【図６】
2020030263.tif 000008
【図７】
2020030263.tif 000009
【図８】
2020030263.tif 000010